(57)【要約】【課題】使い捨てのおむつを着用したときに外性器と肛門との間における肌を排泄物によって汚すことを防止できる使い捨てのおむつの提供。【解決手段】使い捨てのおむつが、透液性の内面側シート３２のさらに内側に前方開口部３８と後方開口部３９とを有する隔離シート３３ｂを設けられる。隔離用シート３３ｂは、前後方向Ａの両端部分３４，３６が内面側シート３２に固定され、中間部分３５が内面側シート３２から離間する。隔離用シート３３ｂはまた、前方開口部３８と後方開口部３９との側方を通って前後方向Ａへ伸長状態で延びる弾性部材３７Ｌ，３８Ｒを有し、側縁部４８Ｌ，４８Ｒが内面側シート３２に接合される。隔離用シート３３ｂの側縁部４８Ｌおよび側縁部４８Ｒそれぞれと中心線Ｐ−Ｐとの間の部分には、中間部分３５がおむつ着用者の肌に接近することを促進可能な手段が形成される。【選択図】図５
2008194181.tif 000002
【特許請求の範囲】
【請求項１】
前後方向と幅方向とを有する股下域と、前記股下域の前方に形成された前胴周り域と、前記股下域の後方に形成された後胴周り域とを有し、前記股下域が透液性の内面側シートと不透液性の外面側シートとこれら両シートの間に設けられる体液吸収性芯材とを含み、前記内面側シートのさらに内側には、前記前後方向へ延びていて前記股下域の前方部分と後方部分とに排泄物を通過させることが可能な前方開口部と後方開口部とを有する隔離用シートが、前記前後方向の両端部分を前記前胴周り域と前記後胴周り域との前記内面側シートに固定される一方、前記前方開口部と前記後方開口部との間に介在する前記隔離用シートの中間部分が前記股下域における前記内面側シートから離間して前記内面側シートと肌との接触を防ぐことが可能な使い捨てのおむつであって、
前記隔離用シートは、前記前後方向へ延びる両側縁部を有し、前記両側縁部のそれぞれが前記内面側シートに接合されており、
前記おむつの幅を二等分する中心線の両側それぞれにおける前記隔離用シートには、伸長状態で前記前方開口部と前記後方開口部との側方を通って前記前後方向へ延びるとともに前記中間部分においては前記中心線に接近するように湾曲している少なくとも各一条の弾性部材が存在し、
前記隔離用シートにはまた、前記中間部分における前記両側縁部および前記両側縁部それぞれと前記中心線との間の部分のいずれかに前記弾性部材の収縮作用下に前記中心線上における前記中間部分が前記おむつ着用者の肌に接近することを促進可能な手段が形成されていることを特徴とする前記おむつ。
【請求項２】
前記手段が、前記内面側シートに接合された前記隔離用シートの前記両側縁部のうちで前記中間部分に位置する前記両側縁部を前記内面側シートに対して非接合状態にすることによって形成されている請求項１記載のおむつ。
【請求項３】
前記手段が、前記隔離用シートに対して、前記内面側シートに接合された前記両側縁部のそれぞれと前記中心線との間の部分において、前記前後方向へ延びるスリットを入れることによって形成されている請求項１記載のおむつ。
【請求項４】
前記隔離用シートの前記前方開口部は前記隔離用シートが前記前方部分において前記前方に向かってＵ字形を画くように切り欠かれた状態にある一方、前記後方開口部は前記隔離用シートが前記後方部分において前記後方に向かってＵ字形を画くように切り欠かれた状態にある請求項１〜３のいずれかに記載のおむつ。
【発明の詳細な説明】
【技術分野】
【０００１】
この発明は、使い捨てのおむつに関する。
【背景技術】
【０００２】
従来、使い捨てのおむつにおいて、排泄物によっておむつ着用者の肌が汚れるのを防ぐことができるように、おむつの体液吸収部と肌との間に隔離用シートを介在させることは、特開昭６１−４１３０４号公報（特許文献１）や特開２００２−１１０４４号公報（特許文献２）等によって公知である。
【０００３】
特開昭６１−４１３０４号公報に開示の使い捨ておむつでは、吸収性パッド構造体におけるカバーシートの上方に疎水性表シートが設けられている。この表シートは、股下域に排泄物を透過させるための開口を有し、その開口の両側にはおむつの前後方向へ伸長状態で延びる弾性バンドが取り付けられている。このおむつを着用すると、弾性バンドが収縮して、表シートが吸収性パッドから吸収性パッドの上方へ離間して肌に接触し、吸収性パッドと肌との接触を防ぐ。
【０００４】
特開２００２−１１０４４号公報に開示のおむつはパンツ型のもので、吸収体を被覆している透液性トップシートの上方にスキンコンタクトシートを有する。このスキンコンタクトシートは、長手方向両端部がトップシートまたはバックシートに接合されていて、股下域に便を透過させるための開口部を有し、弾性部材がその開口部を囲むようにスキンコンタクトシートに伸長状態で取り付けられている。
【特許文献１】特開昭６１−４１３０４号公報
【特許文献２】特開２００２−１１０４４号公報
【発明の開示】
【発明が解決しようとする課題】
【０００５】
特許文献１に開示のおむつでは、外性器と肛門とが開口の内側となるように表シートを作ると、外性器と肛門との間における肌が湿潤状態のカバーシートに長時間触れてかぶれるという問題が生じかねない。また、軟便がその肌を伝って外性器に向かって流れ、その肌を汚すという問題を生じかねない。
【０００６】
特許文献２に開示のおむつの開口部は、それを囲んでいる伸長状態の弾性部材の作用で開口部の幅が狭くなる傾向を有することがある。それゆえ、弾性部材の伸長率が高くなるほど、開口部の幅が小さくなって、便が通過し難くなるという問題を生じかねない。また、外性器と肛門との間における肌を覆うスキンコンタクトシートは、肛門の周囲と、後胴周りの幅方向中央部分とを覆うように広がっているので、このシートが臀部のわれ目に入った場合には、実質的な意味において開口部が閉じた状態となり、スキンコンタクトシートが本来の機能を果たさなくなるという問題を生じかねない。
【０００７】
この発明が課題とするところは、従来のおむつにおける前記諸問題の解消を可能にする使い捨てのおむつの提供にある。
【課題を解決するための手段】
【０００８】
前記課題を解決するために、この発明が対象とするのは、前後方向と幅方向とを有する股下域と、前記股下域の前方に形成された前胴周り域と、前記股下域の後方に形成された後胴周り域とを有し、前記股下域が透液性の内面側シートと不透液性の外面側シートとこれら両シートの間に設けられる体液吸収性芯材とを含み、前記内面側シートのさらに内側には、前記前後方向へ延びていて前記股下域の前方部分と後方部分とに排泄物を通過させることが可能な前方開口部と後方開口部とを有する隔離用シートが、前記前後方向の両端部分を前記前胴周り域と前記後胴周り域との内面に固定される一方、前記前方開口部と前記後方開口部との間に介在する前記隔離用シートの中間部分が前記内面側シートから離間して前記内面側シートと肌との接触を防ぐことが可能な使い捨てのおむつである。
【０００９】
かかる使い捨てのおむつにおいて、この発明が特徴とするところは、次のとおりである。前記隔離用シートは、前記前後方向へ延びる両側縁部を有し、前記両側縁部のそれぞれが前記内面側シートに接合されている。前記おむつの幅を二等分する中心線の両側それぞれにおける前記隔離用シートには、伸長状態で前記前方開口部と前記後方開口部との側方を通って前記前後方向へ延びるとともに前記中間部分においては前記中心線に接近するように湾曲している少なくとも各一条の弾性部材が存在している。前記隔離用シートにはまた、前記中間部分における前記両側縁部および前記両側縁部それぞれと前記中心線との間の部分のいずれかに前記弾性部材の収縮作用下に前記中心線上における前記中間部分が前記おむつ着用者の肌に接近することを促進可能な手段が形成されている。
【００１０】
この発明の好ましい実施態様の一つにおいて、前記手段が、前記内面側シートに接合された前記隔離用シートの前記両側縁部のうちで前記中間部分に位置する前記両側縁部を前記内面側シートに対して非接合状態にすることによって形成されている。
【００１１】
この発明の好ましい実施態様の他の一つにおいて、前記手段が、前記隔離用シートに対して、前記内面側シートに接合された前記両側縁部のそれぞれと前記中心線との間の部分において、前記前後方向へ延びるスリットを入れることによって形成されている。
【００１２】
この発明の好ましい実施態様の他の一つにおいて、前記隔離用シートの前記前方開口部は、前記隔離用シートが前記前方部分において前記前方に向かってＵ字形を画くように切り欠かれた状態にある。一方、前記後方開口部は、前記隔離用シートが前記後方部分において前記後方に向かってＵ字形を画くように切り欠かれた状態にある。
【発明の効果】
【００１３】
この発明に係る使い捨てのおむつでは、隔離用シートのうちの中間部分が外性器と肛門との間に位置し、外性器が前方開口部にのぞき、肛門が後方開口部にのぞくように着用すると、収縮しようとする弾性部材と中間部分が肌に接近することを促進する手段との協働作用で中間部分が外性器と肛門との間における肌に接触することを容易にし、その肌が湿潤状態にある内面側シートに接触したり、軟便で汚れたりすることを防ぐことができる。隔離用シートは、前方開口部と後方開口部とがＵ字形を画くように作られていて、それぞれの開口部の側縁には伸長状態の弾性部材が存在しているから、中間部分がたとえ臀部のわれ目に入っても、これらの開口部は閉じることがない。
【００１４】
この発明において、中間部分が肌に接近することを促進可能な手段は、隔離用シートの中間部分における両側縁部を内面側シートに対して非接合にすることによって得ることができ、また隔離用シートに対してスリットを入れることによっても得ることができる。
【００１５】
前方開口部と後方開口部とのそれぞれが、隔離用シートの前方部分と後方部分とのそれぞれをＵ字形を画くように切り欠くことによって形成されている態様のこの発明では、隔離用シートの中間部分が臀部のわれ目に入っても開口部は閉じることがない。
【発明を実施するための最良の形態】
【００１６】
添付の図面を参照して、この発明に係る使い捨てのおむつの詳細を説明すると、以下のとおりである。
【００１７】
図１，２は、おむつ１の部分破断斜視図と、その斜視図のＩＩ−ＩＩ線断面図である。図１のおむつ１は、それが着用されたときの状態にあって、前後方向と幅方向と高さ方向とがＡ，Ｂ，Ｃで示されており、パンツ型に形成されている被覆部２と、被覆部２の内側に形成されている体液吸収部３とを有する。被覆部２は、内側被覆シート６と、外側被覆シート７と、これらシート６，７の間に介在する不透液性の防漏シート８とによって形成されていて、股下域１１と、股下域１１の前方に位置する前胴周り域１２と、股下域１１の後方に位置する後胴周り域１３とを有する。前後胴周り域１２，１３は、互いの側縁部１５，１６が合掌状に重なり合い、図１の高さ方向Ｃへ間欠的に並ぶ複数の部位１７において接合して胴周り開口１８を形成するとともに股下域１１と協働して一対の脚周り開口１９を形成している。胴周り開口１８と脚周り開口１９の周縁部では、複数条の胴周り弾性部材２１と脚周り弾性部材２２とが内側被覆シート６と外側被覆シート７との間にあって、これらシート６，７の少なくとも一方に伸長状態で接合している。体液吸収部３は、被覆部２のうちの少なくとも股下域１１に形成されているもので、吸液性パネル３３ａと隔離用シート３３ｂとを含み、吸液性パネル３３ａは吸水材３１ａをティシューペーパ３１ｂで包むことによって形成された体液吸収性芯材３１と、芯材３１の表面のうちの少なくとも着用者の肌と向かい合う表面を覆う透液性の内面シート３２とを含み、隔離用シート３３ｂは内面シート３２よりもさらに内側に設けられている。図２において、隔離用シート３３ｂは前端部分３４と後端部分３６とが前後胴周り域１２，１３において内面シート３２に接合する一方、中間部分３５が股下域１１において内面シート３２からその上方へ離間している。また、図２において、芯材３１は、内面シート３２と防漏シート８との間に介在していて、その防漏シート８によっておむつ１の外側から被覆された状態にあり、芯材３１に吸収された体液はおむつ１から漏れることがない。
【００１８】
図３は、図１の部位１７における前後胴周り域１２，１３の接合を外し、おむつ１を前後方向Ａと幅方向Ｂとに展開して得られるおむつ１’の平面図であって、前後の胴周り弾性部材２１Ｆ，２１Ｒによって構成されている胴周り弾性部材２１，左右の脚周り弾性部材２２Ｌ，２２Ｒによって構成されている脚周り弾性部材２２および隔離用シート３３ｂに伸長状態で取り付けられていて左右の股下域弾性部材３７Ｌ，３７Ｒによって構成されている股下域弾性部材３７が鎖線で示されている。なお、この発明においての左右とは、おむつ１の着用者にとっての左右を意味しており、おむつ１’は、幅を二等分する縦中心線Ｐ−Ｐと、前後方向Ａの長さを二等分する横中心線Ｑ−Ｑとを有し、中心線Ｐ−Ｐに関して左右対称である。図３において、被覆部２は砂時計型に形成されており、体液吸収部３は矩形に形成されている。体液吸収部３における隔離用シート３３ｂは、吸液性パネル３３ａの両側縁部分３０Ｌ，３０Ｒに沿って延びる両側部分４０Ｌ，４０Ｒと、これら両側部分４０Ｌ，４０Ｒどうしをつなぐ中間部分３５とを有し、これらが股下域１１から前胴周り域１２に向かって延びるＵ字形の前方開口部３８を画成するとともに、股下域１１から後胴周り域１３に向かって延びるＵ字形の後方開口部３９を画成している。前方開口部３８は、前後方向Ａへ延びていて側縁７１で総称される左右両側縁７１Ｌ，７１Ｒと、これら両側縁７１Ｌ，７１Ｒをつなぐ湾曲した底縁７２とを有する。また、後方開口部３９は、前後方向Ａへ延びていて側縁７３で総称される左右両側縁７３Ｌ，７３Ｒと、これら両側縁７３Ｌ，７３Ｒをつなぐ湾曲した底縁７４とを有する。
【００１９】
図１のおむつ１を着用するときには、図３に示されている前方開口部３８に着用者の外性器がのぞき、後方開口部３９に肛門がのぞき、中間部分３５が外性器と肛門との間において肌に当接するように着用状態を整える。その着用状態を実現するうえにおいて、前方開口部３８における底縁７２は横中心線Ｑ−Ｑよりも前方に位置し、後方開口部３９における底縁７４は横中心線Ｑ−Ｑの上、または横中心線Ｑ−Ｑの前後であってかつ横中心線Ｑ−Ｑの付近に位置していることが好ましい。
【００２０】
図３において、股下域弾性部材３７Ｌ，３７Ｒは、好ましくは各一条の糸ゴムで形成されていて、前方開口部３８と後方開口部３９それぞれの側方を通って前後方向へ延びている。おむつ１の股下域１１が図１，２の如く前後方向Ａにおいて湾曲すると、これら弾性部材３７Ｌ、３７Ｒは前後方向Ａへ収縮して、隔離用シート３３ｂの図３における前後方向Ａの寸法を縮め、中間部分３５を内面シート３２からその上方へ離間させるように作用する（図２参照）。
【００２１】
図４は、おむつ１’の分解組立図である。外側被覆シート７は不織布やプラスチックフィルムで形成されており、その内面には、胴周り弾性部材２１と脚周り弾性部材２２とがホットメルト接着剤（図示せず）を介して伸長状態で取り付けられる。その内面にはまた、不透液性のプラスチックフィルムで形成された防漏シート８が接着または溶着により接合される。外側被覆シート７と防漏シート８との内面（図における上面）には、外側被覆シート７と同形同大で不織布またはプラスチックフィルムで形成された内側被覆シート６が接着または溶着により接合される。内側被覆シート６の内面にはホットメルト接着剤（図示せず）を介して体液吸収部３が接合される。体液吸収部３は、吸液性パネル３３ａの外面（図における下面）のほぼ全体が内側被覆シート６に接合され、隔離用シート３３ｂが吸液性パネル３３ａの両側縁部分３０Ｌ，３０Ｒの内面に接合される。
【００２２】
図５は、図４に分解斜視図で示した体液吸収部３を拡大し、部分的に破断した状態で示す図である。体液吸収部３における吸液性パネル３３ａは、粉砕パルプや粉砕パルプと高吸収性ポリマー粒子との混合物等からなる吸水材３１ａをティシューペーパ３１ｂで被覆することによって形成された芯材３１と、芯材３１の内面と側面と外面の少なくとも一部分とを覆う透液性の内面シート３２を含んでいる。図５では、この吸液性パネル３３ａに対して、おむつ１’の縦中心線Ｐ−Ｐと横中心線Ｑ−Ｑとが示されている。隔離用シート３３ｂは、重なり合う２枚の不織布４６，４７の間に股下域弾性部材３７Ｌ，３７Ｒを縦中心線Ｐ−Ｐに関して対称となるように介在させたもので、股下域弾性部材３７Ｌは、前方開口部３８の側縁７１Ｌと後方開口部３９の側縁７３Ｌとに沿う第１，第２部分８１Ｌ，８２Ｌがほぼ直状に延びていて、中間部分３５において底縁７２と７４とに沿う第３部分８３Ｌが縦中心線Ｐ−Ｐに向かって凸となるように湾曲している。もう一方の股下域弾性部材３７Ｒは、前方開口部３８の側縁７１Ｒと後方開口部３９の側縁７３Ｒとに沿う第１，第２部分８１Ｒ，８２Ｒがほぼ直状に延びていて、中間部分３５において底縁７２と７４とに沿う第３部分８３Ｒが縦中心線Ｐ−Ｐに向かって凸となるように湾曲している。このように、これら弾性部材３７Ｌと３７Ｒとは、前方開口部３８と後方開口部３９との側方を通って前後方向Ａへ延びていて、中間部分３５で最も接近した状態にあるものであり、不織布４６，４７の少なくとも一方に対して伸長状態で接合している。隔離用シート３３ｂの両側部分４０Ｌ，４０Ｒのそれぞれは、側縁部４８Ｌ，４８Ｒが縦中心線Ｐ−Ｐに向かって折り返されていて、吸液性パネル３３ａの内面シート３２に対して、その内面シート３２に多数のドットで示されている接合域４９Ｌと５０Ｌ、４９Ｒと５０Ｒにおいて接合するが、側縁部４８Ｌ，４８Ｒのうちで中間部分３５に位置する側縁部７６Ｌ，７６Ｒは内面シート３２に対して接合することがない。すなわち、おむつ１の前後方向Ａにおいて、接合域４９Ｌと５０Ｌとの間、および接合域４９Ｒと５０Ｒとの間には、隔離用シート３３ｂに対しての長さＤ２を有する非接合域５１Ｌ，５１Ｒが形成されている。したがって、吸液性パネル３３ａと隔離用シート３３ｂとを接合したときに、隔離用シート３３ｂの側縁部７６Ｌ，７６Ｒは非接合域５１Ｌ，５１Ｒにおいて内面シート３２から離間可能な状態にある。なお、側縁部４８Ｌ，４８Ｒにおいて重なり合う隔離用シート３３ｂどうしは接合しないことが好ましいが、前端部分３４と後端部分３６とにおいては重なり合う隔離用シート３３ｂどうしを接着または溶着により接合することができる。隔離用シート３３ｂを形成する不織布には、透液性のものも、不透液性のものも使用することができるのであるが、おむつ１の着用中に体液を吸収して湿潤状態になった吸液性パネル３３ａに隔離用シート３３ｂの中間部分３５が接触しても、吸液性パネル３３ａから肌に向かっての体液の移動を隔離用シート３３ｂによって阻止できるように、その不織布として、好ましくは内面シート３２よりも透液性が低いもの、より好ましくは不透液性のものを使用する。図示例において２枚の不織布４６，４７で形成されている隔離用シート３３ｂは、１枚の不織布で形成されているものに代えることも可能である。
【００２３】
かような隔離用シート３３ｂが使用されている図３のおむつ１’を横中心線Ｑ−Ｑに沿って折り重ね、前後胴周り域１２，１３の側縁部１５，１６どうしを接合して図１の状態のおむつ１にすると、隔離用シート３３ｂは、股下域弾性部材３７Ｌ，３７Ｒが収縮して、おむつ１の幅方向Ｂの中央部において中間部分３５が吸液性パネル３３ａの内面シート３２から離間するとともに着用者の股間部に当接可能になる一方、吸液性パネル３３ａと被覆部２とが中間部分３５の下方で図２の如くに湾曲する。おむつ着用者の排泄する尿は前方開口部３８を通って吸液性パネル３３ａに向かい、便は後方開口部３９を通って吸液性パネル３３ａに向かい、外性器と肛門との間において肌を排泄物によって汚すことがない。
【００２４】
隔離用シート３３ｂはまた、前後方向Ａへ延びるように形成された接合域４９Ｌ，５０Ｌ、４９Ｒ，５０Ｒにおいて側縁部４８Ｌ，４８Ｒが内面シート３２に接合されていても、中間部分３５における側縁部７６Ｌ，７６Ｒは内面シート３２に接合されていないから、吸液性パネル３３ａが前後方向Ａにおいて湾曲し、股下域弾性部材３７Ｌ，３７Ｒが収縮すると、接合域４９Ｌ，５０Ｌ、４９Ｒ，５０Ｒにおける側縁部４８Ｌ，４８Ｒは吸液性パネル３３ａと一体になって湾曲する。しかし、側縁部４８Ｌ，４８Ｒのうちの側縁部７６Ｌ，７６Ｒは、吸液性パネル３３ａの湾曲に追随するのではなくて、股下域弾性部材３７Ｌ，３７Ｒの収縮作用によって直状になろうとする傾向を示し、吸液性パネル３３ａからは高さ方向Ｃに向かって離間する（図２参照）。中間部分３５は、側縁部７６Ｌ，７６Ｒのその離間する動きに伴って、少なくとも縦中心線Ｐ−Ｐ上の部分がおむつ着用者の外性器と肛門との間における肌に接近する方向へ動き、その肌に対する密着の度合いを高めて、その肌が湿潤状態の吸液性パネル３３ａに触れたり尿や便によって汚れたりすることを防ぐことができる。
【００２５】
このように、中間部分３５の両側における側縁部７６Ｌ，７６Ｒと吸液性パネル３３ａの非接合域５１Ｌ，５１Ｒとが非接合状態にあって、おむつ１の幅方向Ｂにおいて、隔離用シート３３ｂと吸液性パネル３３ａとのつながりが絶たれていることは、股下域弾性部材３７Ｌ，３７Ｒの作用による中間部分３５の動きが湾曲して垂れ下がる吸液性パネル３３ａによって拘束されることがないという効果を生む。その効果によって、中間部分３５は、それが吸液性パネル３３ａによって拘束されている場合に比べて、肌に接近する方向の動きが促進される。即ち、側縁部７６Ｌ，７６Ｒが吸液性パネル３３ａに対して非接合状態にあることは、中間部分３５が肌に接近する方向へ動くことの促進手段となる。中間部分３５はまた、股下域弾性部材３７の第３部分８３Ｌ，８３Ｒが伸長状態で湾曲していることによって、その第３部分８３Ｌ，８３Ｒが収縮して直状になろうとするときに中間部分３５を幅方向Ｂにおいて緊張させる。したがって、中間部分３５は前後方向Ａにおいても幅方向Ｂにおいても緊張状態になって肌に強く密着することが可能になるとともに、おむつ１の着用中に折れ曲がったり、しわが寄ったりすることが少なくなる。隔離用シート３３ｂはまた、幅方向Ｂにおける中央部がＵ字形に切り欠かれて後方開口部３９が形成されており、その後方開口部３９の左右両側では、側縁部４８Ｌ，４８Ｒが内面シート３２に接合される一方、股下域弾性部材３７Ｌ，３７Ｒが側縁７３Ｌ，７３Ｒに沿うように後方開口部３９の側方において前後方向へ延びていて側縁７３Ｌ，７３Ｒが緊張状態にあるので、おむつ１がどのような着用状態になっても隔離用シート３３ｂは臀部のわれ目に入るということがなく、したがって、おむつ１の着用中に後方開口部３９が閉じるということもない。また、かような状態で使用されている股下域弾性部材３７Ｌ，３７Ｒは、それらが伸長したり収縮したりしても、前方開口部３８や後方開口部３９の幅を実質的な意味において変化させることがない。
【００２６】
このようなおむつ１において、体液が隔離用シート３３ｂの内面側において幅方向Ｂへ流れると、その体液は隔離用シート３３ｂの側縁部７６Ｌ，７６Ｒと内面シート３２との間から吸液性パネル３３ａの幅方向Ｂの中央部に向かって流れることが可能であり、おむつ１から横漏れすることがない。おむつ１が乳幼児用のものであるか大人用のものであるかによって、おむつ１の各部の寸法は大きく異なり、また、この発明に係る使い捨てのおむつが図示例のパンツ型のものであるか、それとも開放型のものであるかということによっても各部の寸法は大きく異なるが、目安としていえば、縦中心線Ｐ−Ｐ上における中間部分３５の前後方向Ａの寸法Ｄ１（図３〜５参照）は２０〜７０ｍｍであることが好ましい。側縁部７６Ｌ，７６Ｒの寸法Ｄ２（図４，５参照）は、少なくとも寸法Ｄ１に同じであって、前後方向Ａのそれぞれに向かって寸法Ｄ１よりもさらに５０ｍｍずつ大きくすることができる。また、前方開口部３８と後方開口部３９の幅方向Ｂにおける最大寸法Ｄ３，Ｄ４（図４参照）は、５０〜４００ｍｍであることが好ましい。
【００２７】
図６は、この発明において使用される体液吸収部３の一例を示す図６と同様な図である。図６の体液吸収部３では、隔離用シート３３ｂにおける両側部分４０Ｌ，４０Ｒそれぞれの内面側に防漏堤５８が形成されている。防漏堤５８は、不織布、より好ましくは不透液性の不織布をＺ字型または逆Ｚ字型に折り重ねることによって形成されている。
【００２８】
図７，８は、図６のＶＩＩ−ＶＩＩ線切断面と、ＶＩＩＩ−ＶＩＩＩ線切断面とを示す図である。図７では、不織布またはプラスチックフィルムのシート片がＺ字型または逆Ｚ字型に折り重ねられて形成される防漏堤５８における底辺５９ａが吸液性パネル３３ａの外面にホットメルト接着剤６１を介して接合している。また、Ｚ字型または逆Ｚ字型の防漏堤５８における中間辺５９ｂと頂辺５９ｃとがホットメルト接着剤６２を介して互いに接合しており、その中間辺５９ｂが接着剤６２を介して隔離用シート３３ｂの前後両端部分３４，３６における内面に接合している。図８では、中間辺５９ｂと頂辺５９ｃとが、横中心線Ｑ−Ｑの近傍において互いに接合することなく折り重ねられたままの状態にある。中間辺５９ｂと頂辺５９ｃとに対しては、弾性部材６３が伸長状態で取り付けられている（図６参照）。この防漏堤５８を有する体液吸収部３が使用されたおむつ１が図１の如き着用状態になると、弾性部材６３が前後方向Ａにおいて収縮し、中間辺５９ｂと頂辺５９ｃとが図８の仮想線の如くに起立して、体液吸収部３からの体液の横漏れを防ぐことができる。かかる防漏堤５８はまた、図１のおむつ１において、吸液性パネル３３ａの非接合域５１Ｌ，５１Ｒと隔離用シート３３ｂの縁部７６Ｌ，７６Ｒとの間からおむつ１の外へ向かう体液の流れを止めることができる。
【００２９】
図９は、この発明の実施態様の一例を示す図５と同様な図である。図示例の体液吸収部３における吸液性パネル３３ａには、図５における接合域４９Ｌと５０Ｌおよび４９Ｒと５０Ｒにつながる接合域５１Ｌ，５１Ｒが形成されており、これら接合域４９Ｌと５０Ｌと５１Ｌおよび４９Ｒと５０Ｒと５１Ｒが一連の接合域を形成している。また、隔離用シート３３ｂの両側部分４０Ｌ，４０Ｒには、２枚の不織布４６，４７を貫通して前後方向Ａへ延びる各一条のスリット８７Ｌ，８７Ｒが形成されている。この体液吸収部３では、隔離用シート３３ｂの側縁部４８Ｌ，４８Ｒがその全長にわたって吸液性パネル３３ａの内面シート３２に接合しているが、側縁部４８Ｌ，４８Ｒのそれぞれと縦中心線Ｐ−Ｐとの間にスリット８７Ｌ，８７Ｒのそれぞれが形成されていることによって、隔離用シート３３ｂの中間部分３５における縦中心線Ｐ−Ｐ上の部分の動きは内面シート３２に接合している側縁部４８Ｌ，４８Ｒによって拘束されることが少なくなる。このおむつ１における吸液性パネル３３ａが図１の如くに湾曲し、隔離用シート３３ｂの側縁部４８Ｌ，４８Ｒの全体がその被覆部２の湾曲に追随しても、弾性部材３７Ｌ，３７Ｒの収縮力が作用している隔離用シート３３ｂの中間部分３５は、スリット８７Ｌ，８７Ｒのそれぞれを幅方向Ｂにおいて拡開させて上方へ動き、おむつ着用者の外性器と肛門との間における肌に接近することが可能である。また、拡開したスリット８７Ｌ，８７Ｒは、隔離用シート３３ｂの内面上を幅方向Ｂへ向かって流れる体液を肌から離間させるように吸液性パネル３３ａに向かって落下させることができる。発明者が知見したところによれば、スリット８７Ｌ，８７Ｒは、その長さが少なくとも中間部分３５の寸法Ｄ１と同じであって、股下域弾性部材３７Ｌ，３７Ｒに届くことがない程度において長くすることができる。また、縦中心線Ｐ−Ｐからスリット８７Ｌ，８７Ｒまでの幅方向Ｂの距離は、乳幼児用のおむつ１であれば少なくとも２０ｍｍ、大人用のおむつ１であれば少なくとも４０ｍｍであることが好ましい。これらのスリット８７Ｌ，８７Ｒもまた、股下域弾性部材３７Ｌ，３７Ｒの作用を受けている隔離用シート３３ｂの中間部分３５がおむつ着用者の肌に接近する方向へ動くことを促進する手段となる。
【００３０】
パンツ型の使い捨てのおむつ１を例にとって説明したこの発明は、開放型の使い捨てのおむつで実施することも可能である。
【産業上の利用可能性】
【００３１】
この発明によれば、おむつの着用状態がどのようであっても隔離用シートに形成された開口が閉じることのない使い捨てのおむつの生産が可能になる。
【図面の簡単な説明】
【００３２】
【図１】使い捨てのおむつの部分破断斜視図。
【図２】図１のＩＩ−ＩＩ線断面図。
【図３】図１のおむつの展開図。
【図４】図３のおむつの分解組み立て図。
【図５】体液吸収部の拡大図。
【図６】体液吸収部の一例を示す図。
【図７】図６のＶＩＩ−ＶＩＩ線切断面を示す図。
【図８】図６のＶＩＩＩ−ＶＩＩＩ線切断線を示す図。
【図９】実施態様の一例を示す図５と同様な図。
【符号の説明】
【００３３】
１    使い捨てのおむつ
７    外面側シート
１１    股下域
１２    前胴周り域
１３    後胴周り域
３１    芯材
３２    内面側シート（内面シート）
３３ｂ    隔離用シート
３５    中間部分
３７，３７Ｌ，３７Ｒ    弾性部材
３８    前方開口部
３９    後方開口部
４８，４８Ｌ，４８Ｒ    側縁部
７１Ｌ，７１Ｒ    側縁
７３Ｌ，７３Ｒ    側縁
７６Ｌ，７６Ｒ    側縁部
８７Ｌ，８７Ｒ    スリット（促進手段）
Ａ    前後方向
Ｂ    幅方向
Ｐ−Ｐ    中心線（縦中心線）
【図１】
2008194181.tif 000003
【図２】
2008194181.tif 000004
【図３】
2008194181.tif 000005
【図４】
2008194181.tif 000006
【図５】
2008194181.tif 000007
【図６】
2008194181.tif 000008
【図７】
2008194181.tif 000009
【図８】
2008194181.tif 000010
【図９】
2008194181.tif 000011